(57)【要約】【課題】将来設計をする際の指針となる人生時計装置を提供すること。【解決手段】人生時計装置１０は、時を表示する時表示部３１と、分を表示する分表示部３２と、秒を表示する秒表示部３３を備えた時計に用いられ、現実に４３２００秒経過する毎に秒表示部３３の数値を１つ増加することにより、人生時刻を表示する駆動手段を備えている。これにより、人生という長い時間を人生時刻に置き換えることができ、自らの過ごしてきた時間を感覚的に認識できる。したがって、自分の人生を客観的に見つめ直して、残りの人生をどのように過ごすかを冷静に考えることができる。【選択図】            図２
2004239673.tif 000002
【特許請求の範囲】
【請求項１】
時を表示する時表示部と、分を表示する分表示部と、秒を表示する秒表示部を備えた時計に用いられ、現実に４３２００秒経過する毎に前記秒表示部の値を１つ増加することにより、人生時刻を表示する駆動手段を備えていることを特徴とする人生時計装置。
【請求項２】
請求項１に記載の人生時計装置において、前記駆動手段は、現実に１ヶ月経過する毎に前記分表示部の値を１つ増加し、現実に５年経過する毎に前記時表示部の値を１つ増加することにより、人生時刻を表示することを特徴とする人生時計装置。
【請求項３】
請求項１または２に記載の人生時計装置において、予め設定された人生時刻になると、所定の信号を発信するタイマー手段を備えていることを特徴とする人生時計装置。
【請求項４】
請求項１から３のいずれかに記載の人生時計装置と、時を表示する時表示部と、分を表示する分表示部と、秒を表示する秒表示部とを備えていることを特徴とする人生時計。
【請求項５】
請求項４に記載の人生時計において、秒針、長針、短針、および文字板を有し、前記時表示部は、当該短針と当該文字板とを含んで構成され、前記分表示部は、当該長針と当該文字板とを含んで構成され、前記秒表示部は、当該秒針と当該文字板とを含んで構成されていることを特徴とする人生時計。
【請求項６】
請求項４または５に記載の人生時計において、前記各表示部で現在時刻と人生時刻とを切り替え表示する表示部切替手段を備えていることを特徴とする人生時計。
【請求項７】
請求項４から６のいずれかに記載の人生時計において、生年月日および現在年月日が入力されると、この入力された生年月日から現在年月日までの経過時間に基づいて人生時間を算出する計算手段を備えていることを特徴とする人生時計。
【請求項８】
請求項７に記載の人生時計において、前記計算手段は、日付関数を用いて、生年月日から現在年月日までの経過時間を半日単位に換算することにより、人生時間を算出することを特徴とする人生時計。
【請求項９】
請求項７または８に記載の人生時計において、前記計算手段は、前記各表示部で表示される午前６時を生年月日の午前０時とし、午前６時から前記算出された人生時間だけ経過した時刻を人生時刻とすることを特徴とする人生時計。
【請求項１０】
請求項４から９のいずれかに記載の人生時計において、ＣＤケースに収納可能な形状とされていることを特徴とする人生時計。
【請求項１１】
請求項１０に記載の人生時計において、前記人生時計を収納するＣＤケースと、このＣＤケースを支持する脚とを備えていることを特徴とする人生時計。
【請求項１２】
時を表示する時表示部と、分を表示する分表示部と、秒を表示する秒表示部を備えた時計に用いられ、現実に４３２００秒経過する毎に前記秒表示部の値を１つ増加することにより、人生時刻を表示する駆動手順を備えていることを特徴とする人生時刻表示方法。
【請求項１３】
請求項１２に記載の人生時刻表示方法において、前記駆動手順では、現実に１月経過する毎に前記分表示部の値を１つ増加し、現実に５年経過する毎に時表示部の値を１つ増加することにより、人生時刻を表示することを特徴とする人生時刻表示方法。
【請求項１４】
請求項１２または１３に記載の人生時刻表示方法において、予め設定された人生時刻になると、所定の信号を発信するタイマー手順を備えていることを特徴とする人生時刻表示方法。
【請求項１５】
請求項１２から１４のいずれかに記載の人生時刻表示方法において、前記各表示部で現在時刻と人生時刻とを切り替え表示する表示部切替手順を備えていることを特徴とする人生時刻表示方法。
【請求項１６】
請求項１２から１５のいずれかに記載の人生時刻表示方法において、生年月日および現在年月日が入力されると、この入力された生年月日から現在年月日までの経過時間に基づいて人生時間を計算する計算手順を備えていることを特徴とする人生時刻表示方法。
【請求項１７】
請求項１６に記載の人生時刻表示方法において、前記計算手順では、日付関数を用いて、生年月日から現在年月日までの経過時間を半日単位に換算することにより、人生時間を算出することを特徴とする人生時刻表示方法。
【請求項１８】
請求項１６または１７に記載の人生時刻表示方法において、前記計算手順では、前記各表示部の午前６時を生年月日の午前０時とし、午前６時から前記算出された人生時間だけ経過した時刻を人生時刻とすることを特徴とする人生時刻表示方法。
【請求項１９】
請求項１２から１８のいずれかに記載の人生時刻表示方法を、コンピュータに実行させるためのプログラム。
【請求項２０】
請求項１２から１８のいずれかに記載の人生時刻表示方法を、コンピュータに実行させるためのプログラムを記録したコンピュータ読取可能な記録媒体。
【発明の詳細な説明】
【０００１】
【発明の属する技術分野】
本発明は、人生という長い時間を人生時刻として表示する人生時計装置、人生時計、人生時刻表示方法、プログラム、および記録媒体に関する。
【０００２】
【背景技術】
従来より、誕生時から現在までの経過時間や経過日数の表示機能が設けられた時計が知られている。（例えば、特許文献１および特許文献２参照）。
【０００３】
【特許文献１】
特開平１１−２１１８６６号公報
【特許文献２】
特開２０００−４６９７５号公報
【０００４】
【発明が解決しようとする課題】
しかしながら、以上のような時計では、誕生時から現在までの経過時間がわかっても、この経過時間が自分の一生に占める割合を客観的に認識することは難しかった。そのため、従来の時計は、将来設計をするための指針とはならなかった。
【０００５】
本発明の目的は、将来設計をする際の指針となる人生時計装置、人生時計、人生時刻表示方法、プログラム、および記録媒体を提供することにある。
【０００６】
【課題を解決するための手段】
上記目的を達成するため、本発明の人生時計装置、人生時計、人生時刻表示方法、プログラム、および記録媒体は、次の構成を採用する。
請求項１に記載の人生時計装置は、時を表示する時表示部と、分を表示する分表示部と、秒を表示する秒表示部を備えた時計に用いられ、現実に４３２００秒経過する毎に前記秒表示部の値を１つ増加することにより、人生時刻を表示する駆動手段を備えていることを特徴とする。
ここで、秒表示部、時表示部、および分表示部は、デジタル表示としてもよいし、秒針、短針、長針、および文字板を用いたアナログ表示としてもよい。また、値を１つ増加するとは、デジタル表示であれば、表示部で表示された数値を１つ増加することを意味し、アナログ表示であれば、針を目盛１つ分進めることを意味する。
【０００７】
人は、時計で表示される時刻を重要な目安として、１日を過ごしている。そこで、この発明によれば、現実に４３２００秒（１２時間）経過する毎に、時計の秒表示部の値を１つ増加する。例えば、午前で１秒、午後で１秒増加する。これにより、人生という長い時間を人生時刻に置き換えることができ、自らの過ごしてきた時間を感覚的に認識できる。したがって、自分の人生を客観的に見つめ直して、残りの人生をどのように過ごすかを冷静に考えることができる。
【０００８】
請求項２に記載の人生時計装置は、請求項１に記載の人生時計装置において、前記駆動手段は、現実に１月経過する毎に前記分表示部の値を１つ増加し、現実に５年経過する毎に前記時表示部の値を１つ増加することにより、人生時刻を表示することを特徴とする。
この発明によれば、人生時刻における時および分を、現実の１月および５年に対応させることにより、自らの過ごしてきた時間をより正確に認識できる。
【０００９】
請求項３に記載の人生時計装置は、請求項１または２に記載の人生時計装置において、予め設定された人生時刻になると、所定の信号を発信するタイマー手段を備えていることを特徴とする。
この発明によれば、誕生日や結婚記念日等、個人で記念すべき日をタイマー設定することができる。なお、複数の日をタイマー設定できるようにしてもよい。
【００１０】
請求項４に記載の人生時計は、請求項１から３のいずれかに記載の人生時計装置と、時を表示する時表示部と、分を表示する分表示部と、秒を表示する秒表示部とを備えていることを特徴とする。
この発明によれば、人生時計で人生時刻を表示することにより、自らの過ごしてきた時間を感覚的、視覚的に認識できる。
【００１１】
請求項５に記載の人生時計は、請求項４に記載の人生時計において、秒針、長針、短針、および文字板を有し、前記時表示部は、当該短針と当該文字板とを含んで構成され、前記分表示部は、当該長針と当該文字板とを含んで構成され、前記秒表示部は、当該秒針と当該文字板とを含んで構成されていることを特徴とする。
この発明によれば、アナログ表示により、人生時刻をより直感的に認識できる。
【００１２】
請求項６に記載の人生時計は、請求項４または５に記載の人生時計において、前記各表示部で現在時刻と人生時刻とを切り替え表示する表示部切替手段を備えていることを特徴とする。
この発明によれば、人生時計を通常の時計としても利用できるため、実用的である。
【００１３】
請求項７に記載の人生時計は、請求項４から６のいずれかに記載の人生時計において、生年月日および現在年月日が入力されると、この入力された生年月日から現在年月日までの経過時間に基づいて人生時間を算出する計算手段を備えていることを特徴とする。
この発明によれば、生年月日および現在時刻を入力するだけで人生時間を算出できるから、ユーザが人生時刻を入力する必要がなく、簡単に人生時刻を設定できる。
【００１４】
請求項８に記載の人生時計は、請求項７に記載の人生時計において、前記計算手段は、日付関数を用いて、生年月日から現在年月日までの経過時間を半日単位に換算することにより、人生時間を算出することを特徴とする。
この発明によれば、日付関数を用いることにより、人生時刻と現実との経過時間のずれを解消して、人生時刻に狂いが生じるのを防止できる。
【００１５】
請求項９に記載の人生時計装置は、請求項７または８に記載の人生時計において、前記計算手段は、前記各表示部で表示される午前６時を生年月日の午前０時とし、午前６時から前記算出された人生時間だけ経過した時刻を人生時刻とすることを特徴とする。
この発明によれば、３０才で正午、６０才で夕方６時となる。つまり、午前中は幼少期、青年期であり、午後は壮年期、夕方は老年期となる。したがって、人生を一日の生活になぞらえることができ、通常の時刻に対するイメージが人生に重なり、人生時刻を理解しやすい。
【００１６】
請求項１０に記載の人生時計は、請求項４から９のいずれかに記載の人生時計において、ＣＤケースに収納可能な形状とされていることを特徴とする。
この発明によれば、人生時計をＣＤケースに収納して携帯できるから、取扱いが容易になるうえ、インテリアとしても利用できる。また、既存のＣＤケースを利用できるため、量産可能となる。
【００１７】
請求項１１に記載の人生時計は、請求項１０に記載の人生時計において、前記人生時計を収納するＣＤケースと、このＣＤケースを支持する脚部材とを備えていることを特徴とする。
この発明によれば、請求項１０と同様の効果を奏することができる。
【００１８】
請求項１２から１８に記載の人生時刻表示方法は、上述した人生時計装置および人生時計を人生時刻表示方法として展開したものである。
この人生時刻表示方法によれば、上述した人生時計装置および人生時計と同様の効果を奏することができる。
【００１９】
請求項１９に記載のプログラムは、上述したいずれかの人生時刻表示方法を、コンピュータで実行させるためのプログラムである。
請求項２０に記載のプログラムは、上述したいずれかの人生時刻表示方法を、コンピュータで実行させるためのプログラムを記録したコンピュータ読取可能な記録媒体である。
このプログラムおよび記録媒体によれば、パソコンに本発明のプログラムをインストールすることにより、上述したいずれかの人生時刻表示方法を実行させることができるため、本発明の人生時刻表示方法の利用促進を図ることができる。
【００２０】
【発明の実施の形態】
以下、本発明の実施形態を図面に基づいて説明する。
図１は、本実施形態に係る人生時計１の斜視図であり、図２は、人生時計１の正面図であり、図３は、人生時計１の側面図であり、図４は、人生時計１の背面図である。
この人生時計１は、人生時計装置１０と、この人生時計装置１０を収納するＣＤケース２と、このＣＤケース２を支持する２つの脚部材３とを備えている。
【００２１】
ＣＤケース２は、人生時計装置１０が設けられた本体部４と、この本体部４に開閉自在に設けられた蓋部５とを含んで構成されている。蓋部５には、図示しないＣＤ−ＲＯＭが収納可能な凹部６が形成されている。凹部６に収納されるＣＤ−ＲＯＭは、例えば、コンピュータに読み込まれることにより、コンピュータ画面上で人生時計１をスクリーンセイバとして利用できるほか、人生時計の使い方や操作マニュアル等を参照できるようになっている。
脚部材３は、円柱形状とされ、ＣＤケース２内に収納されている。この脚部材３を取り出して、本体部４の下部に設けられた孔４Ａに挿通することにより、本体部４を斜め上方に向いた状態で支持できるようになっている。
【００２２】
本体部４の正面側には、アナログ表示部２０およびデジタル表示部３０が設けられ、背面側には、アナログ操作部４０、デジタル操作部５０、およびアラーム音を発生させるアラーム部６０が設けられている。
【００２３】
アナログ表示部２０は、図２に示すように、本体部４の上部に設けられ、短針２１、長針２２、秒針２３および円形の文字板２４を含んで構成されている。これら針２１〜２３は、文字板２４の中心部分２４１を回転中心として回転するように配置されている。
文字板２４には、中心部分２４１から放射状に延びて１周を６０に分割する基準目盛２４２が形成されている。
文字板２４の内周側には、中心部分２４１の真下から時計回りに２周する０から１２０までの年数読取目盛２４３が形成されている。また、基準目盛２４２は、１２個ごとに太線で描かれて、月数読取目盛２４４を構成するとともに、１個おきに文字板２４の外周側に延長されて、日数読取目盛２４５を構成する。
文字板２４の外周側には、中心部分２４１の真上から時計回りに１周する０から１２までの数字が描かれている。
【００２４】
これにより、例えば、アナログ表示部２０の午前６時を生年月日の午前０時として設定すると、短針２１と年読取目盛２４３とで、人生時刻の時から現実の年数を読み取ることができる。
また、長針２２と基準目盛２４５とで、人生時刻の分から、現実の５年毎から経過した月数を読み取ることもできる。ここで、太線で描かれた月数読取目盛２４４を利用することにより、長針２２と月読取目盛２４４とで、毎年の誕生日から経過した月数を読み取ることができる。
さらに、秒針２３と日読取目盛２４５とで、人生時刻の分から、毎月の誕生日から経過した日数を読み取ることができる。ここで、秒針２３は、現実の１日で基準目盛２４２日の２目盛分動くため、秒針２３と基準目盛２４２とで、半日経過したかどうかも読み取ることができる。
すなわち、図２では、人生時刻が１５時８分４３秒と表示されていることにより、現実に生年月日から４５年８ヶ月２１日と半日が経過していることを読み取ることができる。
なお、短針２１と文字板２４とで、時表示部が構成され、長針２２と文字板２４とで、分表示部が構成され、秒針２３と文字板２４とで、秒表示部が構成される。
【００２５】
デジタル表示部３０は、本体部４の下部に設けられ、時を表示する時表示部３１、分を表示する分表示部３２、および秒を表示する秒表示部３３を含んで構成されている。
【００２６】
アナログ操作部４０には、図４に示すように、電源部４１、調整つまみ４２、、リセットボタン４３、およびスタートボタン４４が設けられている。
電源部４１には、人生時計装置１０を駆動するための電池が収納される。
調整ダイアル４２は、手動で回転させることにより、短針２１および長針２２を調整できる。
リセットボタン４３は、１ヶ月が３０日でない場合に秒針２３の調整を手動で行うものである。すなわち、秒針２３が中心部分２４１の真下より左側にある場合には、秒針２３を進めることにより、中心部分２４１の真上に秒針２３をセットする。一方、秒針２３が中心部分２４１の真下より右側にある場合には、秒針２３を戻すことにより、中心部分２４１の真上に秒針２３をセットする。具体的には、２月には、秒針２３を進めてリセットし、１月、３月、５月、７月、８月、１０月、および１２月には、秒針２３を戻してリセットする。
スタートボタン４４は、秒針２３、長針２２、短針２１の駆動を開始させるものである。
【００２７】
デジタル操作部５０には、入力ボタン５１，５２、セットボタン５３、入力モード切替ボタン５４、表示モード切替ボタン５５が設けられている。
入力ボタン５１，５２を押すことにより、時表示部３１、分表示部３２、秒表示部３３に数字を表示し、セットボタンを押すことにより表示した数字を設定入力できるようになっている。
入力モード切替ボタン５４は、押す毎に、デジタル表示部３０において、現在年月日を入力するための現在年月日入力モード（ＴＩ−１）、現在時刻を入力するための現在時刻入力モード（ＴＩ−２）、生年月日を入力するための生年月日入力モード（ＳＩ）、人生時刻を確認するための人生時刻確認モード（ＬＩ）、タイマー入力するためのタイマー入力モード（ＹＩ）の順に切り替え表示される（図６参照）。
表示モード切替ボタン５５は、押す毎に、デジタル表示部３０において、現在時刻表示モード（Ｔ）、人生時刻表示モード（Ｌ）、タイマー人生時刻表示モード（Ｙ）の順に切り替え表示される（図６参照）。
【００２８】
図５は、人生時計装置１０の制御構造を示すブロック図である。
人生時計装置１０内部には、演算装置であるＣＰＵ７０が設けられている。ＣＰＵ７０には、駆動手段７１と、計算手段７２と、表示部切替手段７３と、タイマー手段７４とを備えている。
【００２９】
駆動手段７１は、現実に４３２００秒（１２時間）経過する毎に、すなわち午前、午後が切り替わる毎に、デジタル表示部３０の秒表示部３３の数値を１つ増加させるとともに、アナログ表示部２０の秒針２３を基準目盛２４２で１つ分進める。また、現実に１ヶ月経過する毎に、デジタル表示部３０の分表示部３２の数値を１つ増加させ、現実に５年経過する毎に、デジタル表示部３０の時表示部３１の数値を１つ増加させる。これにより、アナログ表示部２０とデジタル表示部３０で、人生時刻が表示される。
【００３０】
計算手段７２は、アナログ操作部４０およびデジタル操作部５０で生年月日、現在年月日および現在時刻が入力されると、この入力された生年月日から現在年月日までの経過時間を人生時間に換算する。
具体的には、まず、生年月日から現在年月日までの経過時間について、現実に５年経過する毎に「時」の値を１つカウントする。次に、「時」の値をカウントして残った経過時間について、現実に１ヶ月経過する毎に「分」の値を１つカウントする。次に、「時」および「分」の値をカウントして残った経過時間について、現実に１２時間経過する毎に「秒」の値を１つカウントする。これにより、人生時間の「時」「分」「秒」を算出する。例えば、生年月日から現在年月日までの経過時間が４５年８ヶ月２１日とすると、人生時間は９時間８分４２秒となる。以上のような計算は、日付関数を用いて行われる。
そして、前記各表示部３１〜３３で表示される午前６時を生年月日の午前０時として、午前６時から前記算出された人生時間だけ経過した時刻を人生時刻とする。
【００３１】
表示部切替手段７３は、デジタル表示部３０の表示を切り替えるものであり、具体的には、各入力モードや各表示モードに対応して表示を切り替える。
すなわち、表示部切替手段７３は、現在年月日入力モード（ＴＩ−１）では、入力される現在年月日を表示し、現在時刻入力モード（ＴＩ−２）では、入力される現在時刻を表示し、生年月日入力モード（ＳＩ）では、入力される生年月日を表示し、人生時刻確認モード（ＬＩ）では、入力される人生時刻を表示し、タイマー入力モード（ＹＩ）では、入力される年月日を表示する。
また、現在時刻表示モード（Ｔ）では、現在時刻を表示し、人生時刻表示モード（Ｌ）では、人生時刻を表示し、タイマー人生時刻表示モード（Ｙ）では、タイマー設定された人生時刻を表示する。
【００３２】
タイマー手段７４は、アナログ操作部４０およびデジタル操作部５０で予め設定された人生時刻になると、所定の信号を発信して、アラーム部６０でアラーム音を発生させる。
【００３３】
以上の人生時計１において、図６を参照しながら、人生時刻を設定する手順を説明する。
（ＳＴ１）  まず、入力モード切替ボタン５４を操作して、現在年月日入力モード（ＴＩ−１）にし、現在年月日を入力する。現在を２００２年１２月９日とすると、「２００２１２０９」と入力する。次に、現在時刻入力モード（ＴＩ）にし、現在時刻を入力する。ここでは、「１４：３７：１５」と入力する。すると、現在時刻表示モード（Ｔ）に切り替わって、デジタル表示部３０で現在時刻が表示される。
【００３４】
（ＳＴ２）  次に、入力モード切替ボタン５４を操作して、生年月日入力モード（ＳＩ）にし、生年月日を西暦で入力する。ここで、１９５７年３月１８日生まれとすると、「１９５７０３１８」と入力する。すると、生年月日（１９５７年３月１８日）から現在（ここでは、２００２年１２月９日の１４：３７）までの時間に基づいて、人生時刻が算出される。すなわち、生年月日から現在まで経過した時間が４５年８ヶ月２１日と半日であるため、人生時間に換算すると、９時間８分４３秒となる。各表示部３１〜３３で表示される午前６時を生年月日の午前０時として、午前６時から９時間８分４３秒だけ経過した時刻は、１５時８分４３秒であり、これが人生時刻となる。したがって、人生時刻表示モード（Ｌ）に切り替わって、デジタル表示部３０に１５時８分４３秒と表示される。
【００３５】
次に、タイマー設定する手順について、図６を参照しながら説明する。
現在時刻を入力したうえで、入力モード切替ボタン５４を操作して、タイマー入力モード（ＹＩ）にし、記念日等の所定の年月日を入力する。例えば、５０才の誕生日である２００７年３月１８日を入力する場合、「２００７０３１８」と入力する。すると、生年月日（１９５７年３月１８日）からタイマー入力された年月日（２００７年３月１８日）までの人生時刻が計算され、タイマー人生時刻表示モード（Ｙ）に切り替わって、デジタル表示部３０にタイマー設定時刻が１６：００：００と表示される。
【００３６】
したがって、本実施形態によれば以下の効果がある。
（１）駆動手段７１を設けたので、現実に午前、午後が切り替わる毎に、デジタル表示部３０の秒表示部３３の数値を１つ増加するとともに、アナログ表示部２０の秒針２３を基準目盛２４２で１つ分進める。これにより、人生という長い時間を人生時刻に置き換えることができ、自らの過ごしてきた時間を感覚的に認識できる。したがって、自分の人生を客観的に見つめ直して、残りの人生をどのように過ごすかを冷静に考えることができる。
【００３７】
（２）駆動手段７１を設けたので、現実に１ヶ月経過する毎に、デジタル表示部３０の分表示部３２の数値を１つ増加させ、現実に５年経過する毎に、デジタル表示部３０の時表示部３１の数値を１つ増加する。これにより、人生時計１の短針２１および長針２２の動作を現実の５年および１ヶ月に対応させることができ、自らの過ごしてきた時間をより正確に認識できる。
【００３８】
（３）タイマー手段７４を設けたので、５０才の誕生日等、個人で記念すべき日をタイマー設定することができる。
（４）デジタル表示部３０およびアナログ表示部２０を設けて人生時計１で人生時刻を表示することにより、自らの過ごしてきた時間を感覚的、視覚的に認識できる。
（５）アナログ表示部２０を設けたので、人生時刻をより直感的に認識できる。
【００３９】
（６）表示部切替手段７３を設けて現在時刻と人生時刻とを切り替え表示可能としたので、人生時計１を通常の時計としても利用できるため、実用的である。
（７）計算手段７２を設けたので、アナログ操作部４０およびデジタル操作部５０で生年月日および現在時刻を入力するだけで人生時間を算出できるから、ユーザが人生時刻を設定する必要がなく、簡単に人生時刻を知ることができる。
（８）計算手段７２で日付関数を用いて人生時間を算出したので、人生時刻と現実との経過時間のずれを解消して、人生時刻に狂いが生じるのを防止できる。
【００４０】
（９）計算手段７２で、デジタル表示部３０で表示される午前６時を生年月日の午前０時としたので、３０才で正午、６０才で夕方６時となる。つまり、午前中は幼少期、青年期であり、午後は壮年期、夕方は老年期となる。したがって、人生を一日の生活になぞらえることができ、通常の時刻に対するイメージが人生に重なり、人生時刻を理解しやすい。
【００４１】
なお、本発明は前記実施形態に限定されるものではなく、本発明の目的を達成できる範囲での変形、改良等は本発明に含まれるものである。
例えば、前記実施形態では、人生時計１をＣＤケース２を利用した置時計としたが、これに限らず、図７（Ａ）に示すように、腕時計タイプの人生時計１Ａとしてもよい。また、図７（Ｂ）に示すように、人生時刻の時を表示するアナログ表示部２０Ｂ、人生時刻の分を表示するアナログ表示部２０Ｃ、人生時刻の秒を表示するアナログ表示部２０Ｄを有するクロノメーター方式の腕時計タイプの人生時計１Ｂとしてもよい。
また、図８に示すように、プログラムをコンピュータにインストールすることにより、コンピュータ画面上に人生時計１Ｃを表示してもよい。すなわち、人生時計１Ｃでは、アナログ表示部２０はデジタルで計算した人生時刻をアナログ表示したものであり、カレンダ部分８０が設けられている。また、図９に示すように、家族等の複数名について、それぞれ専用のアナログ表示部２０Ｅ，２０Ｆ，２０Ｇ，２０Ｈを設けた人生時計１Ｄとしてもよい。
【００４２】
【発明の効果】
本発明の人生時計装置、人生時計、人生時刻表示方法、プログラム、および記録媒体によれば、次のような効果が得られる。
現実に４３２００秒（１２時間）経過する毎に、時計の秒表示の値を１つ増加する。例えば、午前で１秒、午後で１秒増加する。これにより、人生という長い時間が人生時刻に置き換えることができ、自らの過ごしてきた時間を感覚的に認識できる。したがって、自分の人生を客観的に見つめ直して、残りの人生をどのように過ごすかを冷静に考えることができる。
【図面の簡単な説明】
【図１】本発明の一実施形態に係る人生時計を示す斜視図である。
【図２】前記実施形態に係る人生時計の正面図である。
【図３】前記実施形態に係る人生時計の側面図である。
【図４】前記実施形態に係る人生時計の背面図である。
【図５】前記実施形態に係る人生時計装置の制御構造を示すブロック図である。
【図６】前記実施形態に係る人生時計に人生時刻を設定する手順を説明するための図である。
【図７】本発明の変形例に係る人生時計を示す正面図である。
【図８】本発明の別の変形例に係る人生時計を示す正面図である。
【図９】本発明のさらに別の変形例に係る人生時計を示す正面図である。
【符号の説明】
１，１Ａ，１Ｂ，１Ｃ，１Ｄ      人生時計
２      ＣＤケース
３      脚部材
１０      人生時計装置
２１      短針（表示部）
２２      長針（表示部）
２３      秒針（表示部）
２４      文字板（表示部）
３１      時表示部（表示部）
３２      分表示部（表示部）
３３      秒表示部（表示部）
７１      駆動手段
７２      計算手段
７３      表示部切替手段
７４      タイマー手段
【図１】
2004239673.tif 000003
【図２】
2004239673.tif 000004
【図３】
2004239673.tif 000005
【図４】
2004239673.tif 000006
【図５】
2004239673.tif 000007
【図６】
2004239673.tif 000008
【図７】
2004239673.tif 000009
【図８】
2004239673.tif 000010
【図９】
2004239673.tif 000011